(57)【要約】【課題】  シートに画像を記録する画像形成手段と、シートを排紙トレイに排出するための排紙ローラと、排紙ローラの回転方法を切りかえる回転方向切り替え手段と、回転方向切り替え手段の正転／反転を切りかえるソレノイドと、両面搬送路の入り口に配置された紙有無センサを有する画像形成装置に於いて、両面搬送路の入り口に配置された紙有無センサで紙の後端を検知した時点で、ソレノイドをＯＦＦすることで、ソレノイドの通電を必要最小限にすること。【解決手段】  シートに画像を記録する画像形成手段と、シートを排紙トレイに排出するための排紙ローラと、排紙ローラの回転方法を切りかえる回転方向切り替え手段と、回転方向切り替え手段の正転／反転を切りかえるソレノイドと、両面搬送路の入り口に配置された紙有無センサを有する画像形成装置。【選択図】        図１
2006137502.tif 000002
【特許請求の範囲】
【請求項１】
シートに画像を記録する画像形成手段と、シートを排紙トレイに排出するための排紙ローラと、排紙ローラの回転方法を切りかえる回転方向切り替え手段と、回転方向切り替え手段の正転／反転を切りかえるソレノイドと、両面搬送路の入り口に配置された紙有無センサを有する画像形成装置に於いて、両面搬送路の入り口に配置された紙有無センサで紙の後端を検知した時点で、ソレノイドをオフすることを特徴とした画像形成装置。
【発明の詳細な説明】
【技術分野】
【０００１】
本発明は、電子写真・静電記録・磁気記録等の適宜の原理・方式の作像プロセス手段部で記録媒体上にトナー等の顕画材により目的の画像情報に対応した画像を間接方式あるいは直接方式で形成担持させ、その画像を記録媒体に永久固着像として熱定着することによって画像形成物を出力する、プリンタ・複写機・記録機・ファクシミリ等の画像形成装置に関する。
【背景技術】
【０００２】
従来、レーザプリンタ等の画像形成装置において、両面記録を可能にする両面記録機構は、比較的に、大型、高速、高コストの装置にオプション装着する構成が主であった。オプション装着する両面ユニットの場合、シート反転の搬送路を新たに設けているため、大型、コストアップの主要因となっていた。
【０００３】
しかし、近年では環境保全のためにシートの両面に記録するユーザが増えつつあり、小型、低速、低コストのローエンドレーザビームプリンタ等にも両面記録機構を装着する気運が高まりつつある。
【０００４】
ローエンドレーザビームプリンタの反転機構として排紙ローラの回転方向を切りかえる方法がある。このとき、排紙ローラの回転方向を切りかえる手段として、排紙ローラのみを回すステッピングモータの回転方向を切りかえるものがある（例えば、特許文献１参照）。
【特許文献１】特開２００３−１８２９０号公報
【発明の開示】
【発明が解決しようとする課題】
【０００５】
前記従来例では、排紙ローラの回転方法を切りかえる手段として、ステッピングモータを用いているが、コストダウンのため、クラッチとソレノイドを使用し、ソレノイドをＯＮすることにより排紙ローラの回転方向を反転させる手段がある。
【０００６】
ソレノイドを使用した切り替え手段の場合、反転中はソレノイドに通電し続けなくてはならない。しかしながら、昇温などの観点から必要以上ソレノイドに通電することが難しい。
【０００７】
そこで本発明の目的は、シートに画像を記録する画像形成手段と、シートを排紙トレイに排出するための排紙ローラと、排紙ローラの回転方法を切りかえる回転方向切り替え手段と、回転方向切り替え手段の正転／反転を切りかえるソレノイドと、両面搬送路の入り口に配置された紙有無センサを有する画像形成装置に於いて、両面搬送路の入り口に配置された紙有無センサで紙の後端を検知した時点で、ソレノイドをＯＦＦすることで、ソレノイドの通電を必要最小限にする画像形成装置を提供することである。
【課題を解決するための手段】
【０００８】
本出願に係る第１の発明によれば、前記目的は、シートに画像を記録する画像形成手段と、シートを排紙トレイに排出するための排紙ローラと、排紙ローラの回転方法を切りかえる回転方向切り替え手段と、回転方向切り替え手段の正転／反転を切りかえるソレノイドと、両面搬送路の入り口に配置された紙有無センサを有する画像形成装置に於いて、両面搬送路の入り口に配置された紙有無センサで紙の後端を検知した時点で、ソレノイドをオフすることにより達成される。
【発明の効果】
【０００９】
前記構成にあっては、クラッチとソレノイドを使用し、ソレノイドをＯＮすることにより排紙ローラの回転方向を反転させる画像形成装置において、ソレノイドの通電を必要最小限にすることができる。
【発明を実施するための最良の形態】
【００１０】
以下の実施例は前記課題を解決したものである。
【実施例１】
【００１１】
図１は本実施例の画像形成装置の概略構成図である。
【００１２】
図１において、１０４は有機感光体やアモルファスシリコン感光体でできた感光ドラムであり、時計方向に所定の周速度（プロセススピード）をもって回転駆動される。この回転感光体ドラム１０４、帯電ローラ１０５によりその周面が所定の極性、電位に一様に帯電される。そして、その帯電面に、レーザ光学箱１０８から出力され、画像読取装置やコンピュータ等の画像信号発生装置（図示せず）から入力された目的の画像情報の時系列電気デジタル画素信号に対応して変調（オン／オフ変換）されたレーザ光が、レーザ光反射ミラー１０９によって変更されて照射されることにより、走査露光が行われ、画像情報に対応した静電潜像が形成される。
【００１３】
このように目的の画像に対応して形成された静電潜像は、現像器１０６により現像される。
【００１４】
次に、この感光ドラム１０４に対して、給紙カセット１０３から被記録材が給紙ローラ１０２により１枚給紙されることにより、前記被記録材に対して感光ドラム１０４側の鏡像トナー像が形成される。この転写ローラ１０７は被記録材の背面からトナーと逆極性の電荷を供給することで、感光ドラム１０４から被記録材にトナー像を転写するものである。このようにトナー像の転写を受けた被記録材は、感光ドラム１０４から分離されて熱定着装置１１０へ送り込まれ、ヒータ１１１によってトナー像の熱定着を受ける。
【００１５】
熱定着を受けた被記録材は、ＦＵローラー１１２とＦＤローラー１１３により搬送され排紙トレイ１１４に排出される。
【００１６】
両面プリントを行う場合は、熱定着を受けた被記録材の後端がセンサｓ２を通過してから所定時間後に、ソレノイドをＯＮし、ＦＤローラ１１３の回転方向を反転させ、ＦＤローラ１１３により両面搬送路Ｌ３を通り、両面搬送路Ｌ４へ送り込まれる。
【００１７】
両面搬送路Ｌ４へ送り込まれた被記録材は、再給紙され裏面にトナー像を転写され、熱定着を受け、排紙トレイ１１４に排紙される。
【００１８】
図２は本実施例における画像形成装置の制御を表すフローチャートである。
【００１９】
まず、両面プリントが開始されると、ステップ１に進み、センサｓ２の監視を開始する。センサｓ２で紙後端を検知すると、ステップ２へ進み、反転開始タイミングまでウェイトする。
【００２０】
反転開始タイミングに到達すると、ステップ３へ進みソレノイドをＯＮする。ここで、ソレノイドをＯＮしたことによりＦＤローラ１１３の回転方向が反転し、紙が両面搬送路Ｌ４へ送り込まれる。
【００２１】
ステップ３でソレノイドをＯＮすると、ステップ４へ進みセンサｓ３の監視を開始する。センサｓ３で紙後端を検知すると、ステップ５へ進みソレノイドをＯＦＦする。ここで、ソレノイドをＯＦＦしたことでＦＤローラ１１３の回転方向が正転に切り替わる。
【００２２】
以上のような制御により、シートに画像を記録する画像形成手段と、シートを排紙トレイに排出するための排紙ローラと、排紙ローラの回転方法を切りかえる回転方向切り替え手段と、回転方向切り替え手段の正転／反転を切りかえるソレノイドと、両面搬送路の入り口に配置された紙有無センサを有する画像形成装置に於いて、両面搬送路の入り口に配置された紙有無センサで紙の後端を検知した時点で、ソレノイドをＯＦＦすることで、ソレノイドの通電を必要最小限にすることができる。
【図面の簡単な説明】
【００２３】
【図１】本発明の画像形成装置の一例を示す断面図
【図２】実施例における制御を表すフローチャート
【符号の説明】
【００２４】
１０１  画像形成装置
１０２  給紙ローラ
１０３  給紙カセット
１０４  感光ドラム
１０５  帯電ローラ
１０６  現像器
１０７  転写ローラ
１０８  レーザ光学箱
１０９  レーザ光反射ミラー
１１０  熱定着装置
１１１  ヒータ
１１２  ＦＵローラ
１１３  ＦＤローラ
１１４  排紙トレイ
１１５  ＦＵトレイ
【図１】
2006137502.tif 000003
【図２】
2006137502.tif 000004